(57)【要約】【課題】小便器のトラップ部に配置される固形薬剤の無駄な溶解を防止し、この固形薬剤の交換が容易な洗浄器を提供する。【解決手段】小便器１１の排水口１３に接続されたトラップ部１４に固形薬剤１７を内部に収容した薬剤保持部材１６を配置する。この薬剤保持部材１６は、洗浄水が流入及び流出可能な通水部（３１１、３１２）を有し、かつ、トラップ部１４に常時貯まっている洗浄水の水位より高い位置に固形薬剤１７を保持し、排水部１３を介してトラップ部１４に流入する洗浄水と接触可能に固形薬剤１７を保持できる。【選択図】  図１
2004162404.tif 000002
【特許請求の範囲】
【請求項１】
小便器の排水部に接続されたトラップ部に配置される、固形薬剤を保持する固形薬剤保持部材と、
前記排水部を通水可能に覆う蓋部材とを備え、
前記固形薬剤保持部材は、前記排水部を介して前記トラップ部に流入する洗浄水が流入及び流出可能な通水部を有するとともに、前記トラップ部に常時貯まっている洗浄水の水位より高い位置に前記固形薬剤を保持し、前記排水部を介して前記トラップ部に流入する洗浄水と接触可能に前記固形薬剤を保持することを特徴とする洗浄器。
【請求項２】
前記固形薬剤保持部材は、底部に前記固形薬剤が載置される有底筒状の薬剤載置部を有し、この薬剤載置部の側面部には前記通水部が設けられ、この通水部は前記側面部の下部に設けられた流出孔とこの流出孔の上部に設けられた流入孔とにより構成され、前記流入孔と前記流出孔との間には洗浄水を前記薬剤載置部へ導くガイド部材が前記薬剤載置部の外側側面部から突出して設けられていることを特徴とする請求項１記載の洗浄器。
【請求項３】
小便器の排水部に接続されたトラップ部に配置される、固形薬剤を保持する固形薬剤保持部材であって、
前記排水部を介して前記トラップ部に流入する洗浄水が流入及び流出可能な通水部を有し、前記トラップ部に常時貯まっている洗浄水の水位より高い位置に前記固形薬剤を保持し、前記排水部を介して前記トラップ部に流入する洗浄水と接触可能に前記固形薬剤を保持することを特徴とする固形薬剤保持部材。
【請求項４】
前記固形薬剤保持部材は、有底筒状の固形薬剤保持部を有し、この固形薬剤保持部の側面部には前記通水部が設けられ、この通水部は、前記側面部の下部に設けられた流出孔とこの流出孔の上部に設けられた流入孔とにより構成され、前記流入孔と流出孔との間には洗浄水を前記固形薬剤保持部へ導くガイド部材が前記固形薬剤保持部の外側側面部から突出して設けられていることを特徴とする請求項３に記載の固形薬剤保持部材。
【発明の詳細な説明】
【０００１】
【発明の属する技術分野】
本発明は小便器に使用される洗浄器、特に小便器の排水部に接続されるトラップ部の洗浄を行う洗浄器に関する。
【０００２】
【従来の技術】
男性用小便器の鉢底排水部には、排水管の一部を湾曲させるとともに一定量の水が常時たまっているトラップ部が接続されている。このトラップ部には、鉢底排水部を介して尿が流れ込むため、臭いの発生原因となる尿石が付着しやすい。尿石は、トラップ部に固くこびり付いているため、特殊な薬剤を溶解した洗浄水を使用しなければ落とすことができない。
【０００３】
このような観点から、トラップ部の洗浄を行うための洗浄器が種々提案されており、その一例を図４に示す。同図において、１００１は小便器の鉢底排水部であり、鉢底排水部１００１の底部には排水口１００２が設けられている。１００３は、鉢底排水部１００１の下側に設けられたトラップ部であり、このトラップ部１００３には排水口１００２を介して尿や洗浄水が流れ込む。
【０００４】
１００４は、排水口１００２に設置される目皿である。目皿１００４は、内部が空洞になっており、上面部及び下面部にはそれぞれ開口部１００４ａ、１００４ｂを備えている。１００５は、固形薬剤を保持している固形薬剤保持具であり、洗浄水の流入及び流出を可能とするために多数の開口部１００５ａを有する。固形薬剤保持具１００５は、少なくともその下部が、トラップ部１００３に常時たまっている洗浄水の水位以下となるように接触しており、固形薬剤１００６が常時洗浄水と接触するようにしている。１００７は、固形薬剤保持具１００５の上部から突出して設けられた傘状のフック部である。フック部１００７の頂部は、開口部１００５ｂの上側の周縁部に係止されている。
【０００５】
所定時間が経過すると、固形薬剤１００６は溶解しその寿命が尽きるため、固形薬剤保持具１００５の交換を行う必要がある。固形薬剤保持具１００５の交換は、以下のようにして行う。
【０００６】
まず、開口部１００４ｂに固形薬剤保持具１００５が取り付けられた目皿１００４を、上動させ排水口１００２から取り外す。次に、目皿１００４から固形薬剤保持具１００５を取り外し、新しい固形薬剤保持具１００５を目皿１００４に装着する。最後に、この新しい固形薬剤保持具１００５が取り付けられた目皿１００４を小便器の排水口１００２に配置する。
【０００７】
【特許文献】
特開平１０−８５２６号公報
【０００８】
【発明が解決しようとする課題】
しかしながら、上記洗浄装置における固形薬剤保持具１００５は、その下部がトラップ部１００３に常時たまっている洗浄水の水位以下に配置されている。このため、固形薬剤保持具１００５内に収容された固形薬剤１００６は、開口部１００５ａを介して流入する洗浄水に常時接触した状態となる。その結果、固形薬剤１００６が過剰に溶解して無駄になるという問題、固形薬剤保持具１００５の交換周期が短くなりメンテナンスが大変になるという問題が生じる。
【０００９】
また、固形薬剤１００５の交換には、固形薬剤保持具１００５が軽止された目皿１００４を小便器から取り外すという作業と、目皿１００４から固形薬剤保持具１００５を取り外すという作業と、目皿１００４に固形薬剤保持具１００６を取り付けるという作業と、この固形薬剤保持具１００５が取り付けられた目皿１００４を小便器に設置するという作業とが必要となる。このため、固形薬剤の交換に手間がかかり、作業者の負担が大きくなる。特に、固形薬剤保持具１００５は、目皿１００４に係合しているため、取り付け、取り外しにある程度の力を必要とし、作業者の負担が大きくなる。
【００１０】
また、固形薬剤保持具１００５の取り付け、取り外しの際に、目皿１００４の開口部１００４ｂには摩擦力が働くため、目皿１００４の製品寿命を短くするおそれもある。
【００１１】
更に、取り外しの際に力を掛けすぎて、固形薬剤保持具１００５が勢いよく目皿１００４から外れた場合には、固形薬剤保持具１００５に付着した洗浄水が回りに飛び散り不衛生になるおそれがある。
【００１２】
【課題を解決するための手段】
上記目的を達成するために、本発明における洗浄器は、小便器の排水部に接続されたトラップ部に設けられる、固形薬剤を保持する固形薬剤保持部材と、前記排水部を通水可能に覆う蓋部材とを備え、前記固形薬剤保持部材は、洗浄水が流入及び流出可能な通水部を有するとともに、前記トラップ部に常時貯まっている洗浄水の水位より高い位置に前記固形薬剤を保持し、前記排水部を介して前記トラップ部に流入する洗浄水と接触可能に前記固形薬剤を保持することを特徴とする。このように本発明の洗浄器によれば、固形薬剤は、トラップ部に常時たまっている洗浄水の水位より高い位置に保持される。これにより、便器洗浄が行われていない状況下で、固形薬剤が洗浄水に溶解するのを防止できる。
【００１３】
また、上記洗浄器における固形薬剤保持部材を、底部に前記固形薬剤が載置される有底筒状の薬剤載置部を有し、この薬剤載置部の側面部には前記通水部が設けられ、この通水部は前記側面部の下部に設けられた流出孔とこの流出孔の上部に設けられた流入孔とにより構成され、前記流入孔と前記流出孔との間には洗浄水を前記薬剤載置部へ導くガイド部材が前記薬剤載置部の外側側面部から突出して設けられていることを特徴としている。
【００１４】
また、小便器の排水部に接続されたトラップ部に設けられる、固形薬剤を保持する固形薬剤保持部材であって、この固形薬剤保持部材は、洗浄水が流入及び流出可能な通水部を備え、前記トラップ部に常時貯まっている洗浄水の水位より高い位置に前記固形薬剤を保持し、前記排水部を介して前記トラップ部に流入する洗浄水と接触可能に前記固形薬剤を保持することを特徴とする固形薬剤保持部材。
【００１５】
さらに、前記固形薬剤保持部材は、有底筒状の固形薬剤保持部を有し、この固形薬剤保持部の側面部には前記通水部が設けられ、この通水部は、前記側面部の下部に設けられた流出孔とこの流出孔の上部に設けられた流入孔とにより構成され、前記流入孔と流出孔との間には洗浄水を前記固形薬剤保持部へ導くガイド部材が前記固形薬剤保持部の外側側面部から突出して設けられていることを特徴とする。
【００１６】
【発明の実施の形態】
（第１実施形態）
図１には、本発明の第１実施形態である洗浄器を使用した小便器洗浄システムが示されている。同図において、１１は小便器、１２は小便器１１の下部に設けられた鉢底排水部であり、鉢底排水部１２の中央には、小便器１１に流入した洗浄水を排出する排水口１３が設けられている。
【００１７】
１４は、排水口１３に接続された湾曲状のトラップ部である。このトラップ部１４内には常時一定量の水が溜まっており、これにより後述する排水管１５から発生する悪臭が小便器１１の外部に漏れ出すのを防止している。なお、本実施形態では、トラップ部１４を小便器１１中に内蔵させているが、小便器１１の外部に設けてもよい。
【００１８】
１５は、トラップ部１４に接続されて、このトラップ部１４に流入した洗浄水や尿を排出する配水管である。１６は、図２において図示する固形薬剤１７を内部に収容した薬剤保持部材であり、トラップ部１４の底部に載置されている。１８は、排水口１３を通水可能に覆う蓋部材で、陶器材料から作られている。
【００１９】
このように、本実施形態では、薬剤保持部材１６をトラップ部１４に配置するとともに、トラップ部１４の上部に設けられた排水口１３を蓋部材１８で覆っている。これにより、固形薬剤１７を小便器１１の外部から見えない状態で配置できるため、小便器１１の見栄えがよくなり、固形薬剤１７の盗難などといったいたずらが減ることも期待できる。
【００２０】
次に、図２を用いて薬剤保持部材１６の構造について詳細に説明する。薬剤保持部材１６は、固形薬剤１７が載置される薬剤載置部３１とこの薬剤載置部３１を所定の高さに支持する支持部３２とを備えている。
【００２１】
薬剤載置部３１は、底部に固形薬剤１７が載置された有底円筒状の部材である。薬剤載置部３１の側面部には、小便器１１から流れ込む洗浄水が流入する矩形状の流入孔３１２とこの流入した洗浄水が流出する円形状の流出孔３１１とが設けられている。流出孔３１１と流入孔３１２との間には、流入孔３１２に洗浄水を導く凸状のガイド部材３１３が、薬剤載置部３１の外側側面部から突出して設けられている。
【００２２】
支持部３２は、薬剤載置部３１の側面を下方へ延長することにより形成されており、支持部３２の端部はトラップ部１４の底部に接している。支持部３２の図中上下方向の長さは、トラップ部１４に常時溜まっている洗浄水と接触しない高さに固形薬剤１７を保持できるように設定されている。
【００２３】
このように、本実施形態の薬剤保持部材１６によれば、固形薬剤１７とトラップ部１４に常時溜まっている洗浄水とが接触するのを防止でき、固形薬剤１７の無駄な溶解を防止できる。したがって、固形薬剤１７の製品寿命が長くなり、メンテナンスに関する費用と負担が軽減される。
【００２４】
次に、蓋部材１８の構造などについて図２を用いて説明する。１８１は、円盤状の蓋部材本体である。蓋部材本体１８１の外縁部には、図中下側に延びる止水部１８１ａと排水口１３に流れ込んだ洗浄水をトラップ部１４に通水させる開口部１８１ｂとが設けられている。
【００２５】
１８２は、蓋部材本体１８１に設けられた凸部であり、この凸部１８２には、貫通穴１８２ａが設けられている。貫通穴１８２ａは、蓋部材１８を鉢底排水部１２から取り外すために設けられたものであるが、詳細については後述する。１８３は、蓋部材本体１８１の下面から突出した円筒状の蓋部材支持部である。蓋部材支持部１８３の端部は、蓋部材１８を鉢底排水部１２に配置した時に、薬剤載置部３１の上端部と接触する。
【００２６】
次に、このようにして構成された洗浄器の動作について説明する。まず、便器使用者が用をたした後に、便器洗浄を指示する洗浄ボタン（不図示）を押すと、便器洗浄水が小便器１１に流れ込む。この便器洗浄水は、小便器１１の内周面を洗浄しながら鉢底排水部１２に流れ込む。鉢底排水部１２に流れ込んだ洗浄水は、蓋部材本体１８１に設けられた開口部１８１ｂを通って、トラップ部１４に流入する。
【００２７】
トラップ部１４に流入した洗浄水の一部は、ガイド部材３１３の上面に衝突して、流れの向きが変わり、流入孔３１２を介して薬剤載置部３１に流れ込む。薬剤載置部３１に流れ込んだ洗浄水は、固形薬剤１７を溶解した後、流出孔３１１を通ってトラップ部１４に排出される。トラップ部１４に排出された洗浄水は、トラップ部１４にこびり付いた尿石などを洗浄する。
【００２８】
所定の時間が経過すると、固形薬剤１７は溶解されて寿命が尽きるため、新しい固形薬剤１７に交換する必要がある。固形薬剤１７の交換は以下のようにして行う。まず、フック部材（図示しない）の先端を蓋部材１８に設けられた貫通穴１８２ａに引っ掛ける。そして、フック部材を上動させ、蓋部材１８を排水口１３から取り外す。次に、新しい固形薬剤１７を薬剤載置部３１の底部に載置する。最後に蓋部材１８を排水口１３に戻し交換が終了する。
【００２９】
このように本実施形態の洗浄装置では、蓋部材１８の取り外し、固形薬剤１７の載置、蓋部材１８の取り付け、という簡単な作業で固形薬剤１７を交換することができる。つまり、上述した従来技術では、固形薬剤保持具の取り付け、取り外しという作業が必要となるが、本実施形態では、固形薬剤を載置するという簡単な手法で、交換作業が終了する。したがって、作業者の負担が減少する。また、従来技術では固形薬剤交換の際に洗浄水が回りに飛び散り不衛生になる恐れがあったが、本実施形態の洗浄装置によればこのような問題も生じにくい。
【００３０】
（第２実施形態）
本実施形態で使用される洗浄器を図３に示す。６１は、蓋部材でありその構成は第１の実施形態で使用された蓋部材と同様である。
６２は、固形薬剤１７を載置するために設けられた薬剤載置部６２１とこの薬剤載置部６２１を所定の高さに支持する支持部６２２を有している。薬剤載置部６２１は、有底円筒状の形をしており、底部には固形薬剤１７が載置されている。薬剤載置部６２１の側面部には、洗浄水が流入、流出する矩形状の通水穴６２１１が設けられている。支持部６２２は、トラップ部１４に常時溜まっている洗浄水より高い位置に固形薬剤１７を支持するために、薬剤載置部６２１の側面部を下方へ延長して設けられている。
【００３１】
このように本実施形態の薬剤保持部材６２によれば、支持部６２２によりトラップ部１４に常時たまっている洗浄水と接触しない高さに固形薬剤１７を保持できる。これにより、固形薬剤１７の無駄な溶解を防止できるため、コストの削減を図ることができる。
【００３２】
次に、このようにして構成された洗浄器の動作について説明する。まず、便器使用者が用をたした後に、便器洗浄を指示する洗浄ボタン（不図示）をおすと、便器洗浄水が小便器１１に流れ込む。小便器１１に流れ込んだ便器洗浄水は、小便器１１の内周面を洗浄しながら鉢底排水部１２へ流れ込む。
【００３３】
鉢底排水部１２に流れ込んだ洗浄水は、開口部１８１ｂを介して、トラップ部１４に流入する。このようにしてトラップ部１４に溜まっている洗浄水の水位は、時間と共に上昇し、通水穴６２１１を通って薬剤載置部６２１内に洗浄水が流れ込む。薬剤載置部６２１内に流れ込んだ洗浄水は、固形薬剤１７を溶解した後、通水穴６２１１を通って流出し、トラップ部１４内を循環しながら尿石などを落とす。
【００３４】
なお、固形薬剤１７の交換は、第１実施形態と同様の手法で行う。また、第１の実施形態と第２の実施形態では、薬剤載置部の形状を有底円筒状としたが、底部を有する筒状のものであれば、どのような形のものを使用してもよい。
【００３５】
【発明の効果】
以上説明したように、本発明の洗浄器によれば、固形薬剤の無駄を防止できる。また、固形薬剤の交換が容易となる。
【図面の簡単な説明】
【図１】本発明の第１実施形態である洗浄器が小便器に配置された状態を示した図である。
【図２】本発明の第１実施形態である洗浄器を詳細に示した図である。
【図３】本発明の第２実施形態である洗浄器を詳細に示した図である。
【図４】従来の洗浄器を詳細に示した図である。
【符号の説明】
１１  小便器
１２  鉢底排水部
１３  排水口
１４  トラップ部
１５  排水管
１６  薬剤保持部材
１７  固形薬剤
１８  ６１  蓋部材
３１  ６２１  薬剤載置部
３２  ６２２  支持部
【図１】
2004162404.tif 000003
【図２】
2004162404.tif 000004
【図３】
2004162404.tif 000005
【図４】
2004162404.tif 000006